(57)【要約】  本発明は、無停電電源供給が可能な電源供給システムに関し、複数の電源供給装置が接続される電路のそれぞれを断続する遮断器を備え、システム上で発生する様々な状況に応じて前記遮断器を開閉して電源の受供給を制御することにより、複数の電源供給装置間でＵＰＳ機能を実行する電源供給システムに関する。
2021536220.tif 000002
【特許請求の範囲】
【請求項１】
１つ以上の電源供給源から供給された電源をＤＣ電源に変換し、前記ＤＣ電源を負荷の駆動電源に変換し、前記負荷に供給する複数の電源盤と、
前記複数の電源盤のそれぞれにおいて前記ＤＣ電源が入出力される電源端のそれぞれの間に配置される複数の遮断器とを含み、
前記複数の遮断器は、
前記複数の電源盤の１つ以上の電源供給状態によって開閉を変えて、前記複数の電源盤間で前記ＤＣ電源を接続又は切断することを特徴とする電源供給システム。
【請求項２】
前記１つ以上の電源供給源は、
ＡＣ電源を供給する第１交流電源及び第２交流電源と、
ＤＣ電源が蓄えられ、前記第１交流電源及び前記第２交流電源の電源供給が中断されると、前記電源供給が切り替えられて復旧される間、蓄えられた電源を前記複数の電源盤に供給するバッテリ電源とを含むことを特徴とする請求項１に記載の電源供給システム。
【請求項３】
前記バッテリ電源は、
前記電源供給が中断されてから前記電源供給が切り替えられて復旧されるまで、前記蓄えられた電源を前記複数の電源盤に無瞬断で供給することを特徴とする請求項２に記載の電源供給システム。
【請求項４】
前記１つ以上の電源供給源は、
前記第１交流電源、前記第２交流電源及び前記バッテリ電源の電源供給が中断されると、非常発電電源を前記負荷に供給する非常用電源をさらに含むことを特徴とする請求項２に記載の電源供給システム。
【請求項５】
前記複数の電源盤のそれぞれは、
前記１つ以上の電源供給源から供給された電源を前記ＤＣ電源に変換する１つ以上の第１電力変換装置と、
前記１つ以上の第１電力変換装置から供給された前記ＤＣ電源を前記駆動電源に変換して前記負荷に供給する第２電力変換装置とを含むことを特徴とする請求項２に記載の電源供給システム。
【請求項６】
前記複数の電源盤は、
前記１つ以上の電源供給源の状態によって、前記１つ以上の第１電力変換装置のいずれかにより前記第２電力変換装置に前記ＤＣ電源を供給することを特徴とする請求項５に記載の電源供給システム。
【請求項７】
前記複数の電源盤は、
前記第２電力変換装置に前記ＤＣ電源を供給する変換装置の電源供給が中断されると、前記変換装置以外の他の変換装置により前記第２電力変換装置に前記ＤＣ電源を供給することを特徴とする請求項６に記載の電源供給システム。
【請求項８】
前記１つ以上の第１電力変換装置は、
前記変換装置が前記他の変換装置に切り替えられる間、前記バッテリ電源から電源供給を受ける変換装置により前記第２電力変換装置に前記ＤＣ電源を供給することを特徴とする請求項７に記載の電源供給システム。
【請求項９】
前記複数の電源盤は、
いずれか１つの電源盤の電源端が他の電源盤の電源端のそれぞれに接続されることを特徴とする請求項２に記載の電源供給システム。
【請求項１０】
前記複数の遮断器は、
前記いずれか１つの電源盤の電源端と前記他の電源盤の電源端間のそれぞれに配置されることを特徴とする請求項９に記載の電源供給システム。
【請求項１１】
前記電源端のそれぞれを互いに接続する複数のＤＣ電路をさらに含み、
前記複数の遮断器が、前記複数のＤＣ電路のそれぞれに配置され、前記複数のＤＣ電路のそれぞれにおいて前記ＤＣ電源を接続又は切断することを特徴とする請求項２に記載の電源供給システム。
【請求項１２】
前記複数の遮断器は、
前記複数の電源盤のうちいずれか１つの電源盤の電源端が他の電源盤の電源端のそれぞれに接続される数で備えられることを特徴とする請求項２に記載の電源供給システム。
【請求項１３】
前記複数の遮断器は、
前記複数の電源盤がＮ個の場合、Ｎ（Ｎ−１）／２個備えられることを特徴とする請求項２に記載の電源供給システム。
【請求項１４】
前記複数の遮断器は、
前記複数の電源盤間で前記ＤＣ電源を接続する場合に閉路され、前記複数の電源盤間で前記ＤＣ電源を切断する場合に開路されることを特徴とする請求項２に記載の電源供給システム。
【請求項１５】
前記複数の遮断器は、
前記複数の電源盤の１つ以上の電源供給が中断されると、前記電源供給が中断された電源盤と前記電源供給が中断された電源盤に隣接する電源盤間に配置された遮断器が閉路され、前記電源供給が中断された電源盤が前記隣接する電源盤に接続され、前記隣接する電源盤から前記電源供給が中断された電源盤に前記ＤＣ電源が供給されるようにすることを特徴とする請求項２に記載の電源供給システム。
【請求項１６】
前記電源供給が中断された電源盤は、
前記電源供給が中断されてから前記隣接する電源盤から導通した前記ＤＣ電源が供給されるまで、前記バッテリ電源に接続された変換装置から前記ＤＣ電源が供給されることを特徴とする請求項１５に記載の電源供給システム。
【請求項１７】
前記複数の電源盤及び前記複数の遮断器の少なくとも１つの状態を監視し、監視結果に基づいて前記複数の電源盤及び前記複数の遮断器の少なくとも１つを制御する制御装置をさらに含むことを特徴とする請求項１に記載の電源供給システム。
【発明の詳細な説明】
【技術分野】
【０００１】
本発明は、無停電電源供給が可能な電源供給システムに関する。
【背景技術】
【０００２】
本発明の背景となる技術は、複数の電源供給装置を含むシステムである。
【０００３】
複数の電源装置がそれぞれの負荷に電源を供給するシステムは、ＤＣバスラインを介して共通に接続されるようにしてもよい。このように共通のバスラインを介して接続された場合、ＤＣバスラインを介して隣接する電源装置と電源を受供給できるという利点がある。しかし、このようにシステムを構成した場合、システムの安定性の問題、電源受供給の制御の困難性、事故発生時の対処方法の不在などの限界がある。
【０００４】
複雑な構成からなる電源装置を複数備えるので、装置間の互換性が劣る場合、システムの運用が安定して行われなくなる。また、各装置から電源供給を受ける負荷が電源供給を常時必要とする重要負荷である場合、異常状態に対応するためのＵＰＳ装置を別途備えることが要求されるが、ＵＰＳ装置を備える場合、システムの構成がさらに複雑になり、構造的／設計的制約によりＵＰＳ装置を備えること自体も容易でないという問題がある。その上、構成が複雑になることにより、各装置及びシステムの制御がさらに複雑にならざるを得ず、故障や事故などの発生の危険性も高くなる。つまり、安定性及び信頼性のある電源供給が困難になり、負荷の運転が不安定にならざるを得ず、様々な事故の発生に対して適切な運転対応が取れなくなるという問題がある。
【発明の概要】
【発明が解決しようとする課題】
【０００５】
本発明は、前述した従来技術の限界を改善することを課題とする。
【０００６】
すなわち、本発明は、従来技術の限界を改善できる電源供給システムを提供する。
【０００７】
具体的には、システムに備えられた複数の電源供給装置間で電源の受供給が行われ、複数の電源供給装置のそれぞれが相互間でＵＰＳ機能を実行できる電源供給システムを提供する。
【０００８】
また、様々な異常状況で負荷への電源供給を効果的に維持できる電源供給システムを提供する。
【０００９】
さらに、様々な異常状況に対処して安定かつ適切に電源の受供給を行える電源供給システムを提供する。
【課題を解決するための手段】
【００１０】
上記課題を解決するための本発明による電源供給システムは、複数の電源供給装置が接続された電路のそれぞれを断続する遮断器を備え、システム上で発生する様々な状況に応じて前記遮断器を開閉して電源の受供給を制御することを解決手段とする。
【００１１】
すなわち、本発明による電源供給システムは、複数の電源供給装置に対応する遮断器を備え、前記遮断器を制御して電源を受供給することにより、前記複数の電源供給装置間でＵＰＳ機能を実行することを技術的特徴とする。
【００１２】
上記技術的特徴は、電源供給システムに適用して実施することができ、本発明は、上記技術的特徴を有する電源供給システムの実施形態を提供する。
【００１３】
上記技術的特徴を課題解決手段とする本発明の一実施形態による電源供給システムは、１つ以上の電源供給源から供給された電源をＤＣ電源に変換し、前記ＤＣ電源を負荷の駆動電源に変換し、前記負荷に供給する複数の電源盤と、前記複数の電源盤のそれぞれにおいて前記ＤＣ電源が入出力される電源端のそれぞれの間に配置される複数の遮断器とを含み、前記複数の遮断器は、前記複数の電源盤の１つ以上の電源供給状態によって開閉を変えて、前記複数の電源盤間で前記ＤＣ電源を接続又は切断する。
【００１４】
前記電源供給システムの一実施形態において、前記１つ以上の電源供給源は、ＡＣ電源を供給する第１交流電源及び第２交流電源と、ＤＣ電源が蓄えられ、前記第１交流電源及び前記第２交流電源の電源供給が中断されると、前記電源供給が切り替えられて復旧される間、蓄えられた電源を前記複数の電源盤に供給するバッテリ電源とを含んでもよい。
【００１５】
前記電源供給システムの一実施形態において、前記バッテリ電源は、前記電源供給が中断されてから前記電源供給が切り替えられて復旧されるまで、前記蓄えられた電源を前記複数の電源盤に無瞬断で供給するようにしてもよい。
【００１６】
前記電源供給システムの一実施形態において、前記１つ以上の電源供給源は、前記第１交流電源、前記第２交流電源及び前記バッテリ電源の電源供給が中断されると、非常発電電源を前記負荷に供給する非常用電源をさらに含んでもよい。
【００１７】
前記電源供給システムの一実施形態において、前記複数の電源盤のそれぞれは、前記１つ以上の電源供給源から供給された電源を前記ＤＣ電源に変換する１つ以上の第１電力変換装置と、前記１つ以上の第１電力変換装置から供給された前記ＤＣ電源を前記駆動電源に変換して前記負荷に供給する第２電力変換装置とを含んでもよい。
【００１８】
前記電源供給システムの一実施形態において、前記複数の電源盤は、前記１つ以上の電源供給源の状態によって、前記１つ以上の第１電力変換装置のいずれかにより前記第２電力変換装置に前記ＤＣ電源を供給するようにしてもよい。
【００１９】
前記電源供給システムの一実施形態において、前記複数の電源盤は、前記第２電力変換装置に前記ＤＣ電源を供給する変換装置の電源供給が中断されると、前記変換装置以外の他の変換装置により前記第２電力変換装置に前記ＤＣ電源を供給するようにしてもよい。
【００２０】
前記電源供給システムの一実施形態において、前記１つ以上の第１電力変換装置は、前記変換装置が前記他の変換装置に切り替えられる間、前記バッテリ電源から電源供給を受ける変換装置により前記第２電力変換装置に前記ＤＣ電源を供給するようにしてもよい。
【００２１】
前記電源供給システムの一実施形態において、前記複数の電源盤は、いずれか１つの電源盤の電源端が他の電源盤の電源端のそれぞれに接続されてもよい。
【００２２】
前記電源供給システムの一実施形態において、前記複数の遮断器は、前記いずれか１つの電源盤の電源端と前記他の電源盤の電源端間のそれぞれに配置されてもよい。
【００２３】
前記電源供給システムの一実施形態において、前記電源供給システムは、前記電源端のそれぞれを互いに接続する複数のＤＣ電路をさらに含み、前記複数の遮断器が、前記複数のＤＣ電路のそれぞれに配置され、前記複数のＤＣ電路のそれぞれにおいて前記ＤＣ電源を接続又は切断するようにしてもよい。
【００２４】
前記電源供給システムの一実施形態において、前記複数の遮断器は、前記複数の電源盤のうちいずれか１つの電源盤の電源端が他の電源盤の電源端のそれぞれに接続される数で備えられてもよい。
【００２５】
前記電源供給システムの一実施形態において、前記複数の遮断器は、前記複数の電源盤がＮ個の場合、Ｎ（Ｎ−１）／２個備えられてもよい。
【００２６】
前記電源供給システムの一実施形態において、前記複数の遮断器は、前記複数の電源盤間で前記ＤＣ電源を接続する場合に閉路され、前記複数の電源盤間で前記ＤＣ電源を切断する場合に開路されるようにしてもよい。
【００２７】
前記電源供給システムの一実施形態において、前記複数の遮断器は、前記複数の電源盤の１つ以上の電源供給が中断されると、前記電源供給が中断された電源盤と前記電源供給が中断された電源盤に隣接する電源盤間に配置された遮断器が閉路され、前記電源供給が中断された電源盤が前記隣接する電源盤に接続され、前記隣接する電源盤から前記電源供給が中断された電源盤に前記ＤＣ電源が供給されるようにしてもよい。
【００２８】
前記電源供給システムの一実施形態において、前記電源供給が中断された電源盤は、前記電源供給が中断されてから前記隣接する電源盤から導通した前記ＤＣ電源が供給されるまで、前記バッテリ電源に接続された変換装置から前記ＤＣ電源が供給されるようにしてもよい。
【００２９】
前記電源供給システムの一実施形態において、前記電源供給システムは、前記複数の電源盤及び前記複数の遮断器の少なくとも１つの状態を監視し、監視結果に基づいて前記複数の電源盤及び前記複数の遮断器の少なくとも１つを制御する制御装置をさらに含んでもよい。
【００３０】
また、上記技術的特徴を課題解決手段とする本発明の他の実施形態による電源供給システムは、１つ以上の電源供給源のそれぞれから供給された電源をＤＣ電源に変換し、前記ＤＣ電源を負荷の駆動のための駆動電源に変換し、前記駆動電源を前記負荷に供給する複数の電源盤と、前記複数の電源盤のそれぞれにおいて前記ＤＣ電源が流れる出力端に共通に接続され、前記複数の電源盤のそれぞれから出力された前記ＤＣ電源が送られる複数のＤＣ電路と、前記複数の電源盤間の出力端が互いに接続される複数のＤＣ電路のそれぞれに備えられ、前記複数の電源盤間の接続を断続する複数の遮断器と、前記複数の電源盤のそれぞれの状態によって前記複数の遮断器の開閉を制御することにより、前記複数のＤＣ電路を介しての前記複数の電源盤間の前記ＤＣ電源の受供給を制御する制御装置とを含む。
【００３１】
前記電源供給システムの一実施形態において、前記複数の電源盤のそれぞれは、前記ＤＣ電源が出力される出力端が前記複数の遮断器のうちいずれか３つの遮断器に接続されてもよい。
【００３２】
前記電源供給システムの一実施形態において、前記複数の電源盤は、いずれか１つの電源盤の出力端が他の電源盤の出力端のそれぞれに接続されてもよい。
【００３３】
前記電源供給システムの一実施形態において、前記複数の電源盤は、前記１つ以上の電源供給源の状態によって前記ＤＣ電源への変換を行う１つ以上の第１電力変換装置のいずれかを選択し、選択したコンバータにより前記駆動電源への変換を行う第２電力変換装置のそれぞれに前記ＤＣ電源を送るようにしてもよい。
【００３４】
前記電源供給システムの一実施形態において、前記複数の電源盤は、前記駆動電源への変換を行う第２電力変換装置に前記ＤＣ電源を送っているコンバータ及び前記コンバータに対応する電源供給源のいずれか１つ以上に異常が発生すると、前記コンバータ以外の他のコンバータにより前記第２電力変換装置に前記ＤＣ電源を送るようにしてもよい。
【００３５】
前記電源供給システムの一実施形態において、前記制御装置は、前記複数の電源盤のいずれか１つ以上に異常が発生すると、前記異常が発生した電源盤と前記異常が発生した電源盤に隣接する電源盤が接続された電路のいずれか１つの電路の遮断器を閉路し、前記隣接する電源盤から前記異常が発生した電源盤に前記ＤＣ電源が供給されるように制御してもよい。
【００３６】
前述したような本発明による電源供給システムは、ＤＣ電源を供給／使用する電源供給装置、電源供給システム、電源供給システムの運用方法に適用して実施することができる。特に、ＤＣ ＵＰＳモジュール及びそれを備える電源供給システムに有効に適用して実施することができる。しかし、本明細書に開示される技術は、これらに限定されるものではなく、当該技術の技術的思想を適用できるあらゆる電源装置、電源供給装置、電源制御装置、電源供給システム、電力システム、電力制御システム、プラントシステム、プラント制御システム、プラント制御方法、エネルギー蓄積システム、エネルギー蓄積システムの制御方法又は運用方法、複数のモータ負荷を制御するモータ制御盤、モータ制御システム、モータ運転システムなどにも適用して実施することができる。
【発明の効果】
【００３７】
本発明による電源供給システムは、互いに接続された複数の電源供給装置のそれぞれの遮断器を制御して電源の受供給を制御することにより、複数の電源供給装置間でＵＰＳ機能を実行することができるという効果がある。
【００３８】
よって、系統／システム上で様々な異常状況が発生しても、負荷への電源供給を中断することなく維持できるという効果がある。
【００３９】
すなわち、本発明による電源供給システムは、系統／システム上で発生する様々な異常状況に対処して適切かつ安定して電源供給を行えるという効果がある。
【００４０】
また、本発明による電源供給システムは、互いに接続された複数の電源供給装置のそれぞれの遮断器を異常状況に応じて制御して電源の受供給を制御することにより、最小限の手段で効率的な運用を行えるという効果がある。
【００４１】
さらに、本発明による電源供給システムは、大容量システムの運用の安定性、信頼性及び効用性を増大させるという効果がある。
【００４２】
その結果、本発明による電源供給システムは、上記課題を解決し、従来技術の限界を改善できるという効果がある。
【図面の簡単な説明】
【００４３】
【図１】本発明による電源供給システムの構成を示す構成図である。
【図２】本発明による電源供給システムの電源盤の構成を示す構成図である。
【図３】本発明による電源供給システムの電源盤の具体的な構造構成を示す構成図である。
【図４】本発明による電源供給システムの具体例を示す第１例示図である。
【図５】本発明による電源供給システムの具体例を示す第２例示図である。
【図６】本発明による電源供給システムの具体例を示す第３例示図である。
【図７】本発明による電源供給システムの具体例を示す第４例示図である。
【発明を実施するための形態】
【００４４】
本明細書で用いられる技術用語は、単に特定の実施形態を説明するために用いられるものであり、本明細書に開示される技術の思想を限定するものではない。また、本明細書で用いられる技術用語は、本明細書において特に断らない限り、本明細書に開示される技術の属する分野における通常の知識を有する者に一般的に理解される意味で解釈されるべきであり、非常に包括的な意味で解釈されたり、非常に狭い意味で解釈されたりしてはならない。さらに、本明細書で用いられる技術用語が本明細書に開示される技術の思想を正確に表現できない誤った技術用語である場合は、当業者が正しく理解できる技術用語で代替して理解すべきである。さらに、本明細書で用いられる一般的な用語は、辞書の定義に従って、又は前後の文脈によって解釈されなければならず、非常に狭い意味で解釈されてはならない。
【００４５】
さらに、本明細書で用いられる単数の表現には、特に断らない限り、複数の表現が含まれる。本明細書において、「構成される」や「含む」などの用語は、明細書に記載された様々な構成要素又は段階の全てを必ず含むものと解釈されてはならず、そのうち一部の構成要素又は段階を含まないこともあり、さらなる構成要素又は段階を含むこともあるものと解釈されるべきである。
【００４６】
以下、添付図面を参照して本発明の実施形態を詳細に説明するが、図面番号に関係なく同一又は類似の構成要素には同一の符号を付し、それについての説明は省略する。
【００４７】
また、本発明を説明するにあたり、関連する公知技術についての具体的な説明が本発明の要旨を不明にすると判断される場合は、その詳細な説明を省略する。なお、添付図面は本発明の技術思想を容易に理解できるようにするためのものにすぎず、添付図面によりその技術の思想が制限されるように解釈されてはならない。
【００４８】
以下、本発明の一実施形態による電源供給システムについて説明する。
【００４９】
前記電源供給システムは、後述する実施形態の組み合わせ又は区分された形態で実施することができる。
【００５０】
前記電源供給システムは、複数の電源供給装置が含まれる電源供給システムであってもよい。
【００５１】
前記電源供給システムは、複数のパッケージ化した電源装置を含んで電源を供給するシステムであってもよい。
【００５２】
ここで、前記電源装置は、複数の電源制御装置をパッケージ化した電源盤であってもよい。
【００５３】
電源供給システム１０００は、図１に示すように、１つ以上の電源供給源１０から供給された電源をＤＣ電源に変換し、前記ＤＣ電源を負荷２０の駆動電源に変換し、負荷２０に供給する複数の電源盤１００、２００、３００、４００と、複数の電源盤１００、２００、３００、４００のそれぞれにおいて前記ＤＣ電源が入出力される電源端のそれぞれの間に配置される複数の遮断器１３０とを含み、複数の遮断器１３０は、複数の電源盤１００、２００、３００、４００の１つ以上の電源供給状態によって開閉を変えて、複数の電源盤１００、２００、３００、４００間で前記ＤＣ電源を接続又は切断する。
【００５４】
ここで、複数の電源盤１００、２００、３００、４００のそれぞれは、図２及び図３に示すような電源供給装置１００であってもよい。
【００５５】
すなわち、電源盤１００は、図２及び図３に示すような電源供給装置の構成からなるようにしてもよく、また、電源供給システム１０００は、図２及び図３に示すような電源供給装置１００の形態の電源盤を複数含み、複数の電源盤１００、２００、３００、４００を含むようにしてもよい。
【００５６】
電源盤１００は、複数の電源制御装置が含まれるモジュールであってもよい。
【００５７】
電源盤１００は、前記複数の電源制御装置をパッケージ化した電源装置であってもよい。
【００５８】
例えば、電源盤１００は、前記複数の電源制御装置をパッケージ化した電源盤であってもよい。
【００５９】
電源盤１００は、発電所、プラント、工場、ビル、マンションなど高電力を必要とする建物に備えられて電源を供給するパッケージ型電源盤であってもよい。
【００６０】
また、電源盤１００は、ある１つの空間に構成されるパッケージ型電源盤であってもよい。
【００６１】
電源盤１００は、前記複数の電源制御装置がパッケージ化され、負荷に電源を供給するようにしてもよい。
【００６２】
電源盤１００は、図２に示すように、１つ以上の電源供給源１０のそれぞれから供給された電源を前記ＤＣ電源に変換する１つ以上の第１電力変換装置１１０と、前記ＤＣ電源を負荷２０の駆動のための前記駆動電源に変換し、前記駆動電源を負荷２０に供給する１つ以上の第２電力変換装置１２０と、前記ＤＣ電源又は前記駆動電源の状態に応じて前記ＤＣ電源の受供給を制御する制御部１４０、２４０、３４０、４４０とを含んでもよい。
【００６３】
このように、電源盤１００は、第１電力変換装置１１０、第２電力変換装置１２０及び制御部１４０、２４０、３４０、４４０を含み、１つ以上の電源供給源１０から供給された電源を前記駆動電源に変換して負荷２０に供給する。
【００６４】
第１電力変換装置１１０、第２電力変換装置１２０及び制御部１４０、２４０、３４０、４４０を含む電源盤１００の具体的な構成は、図２及び図３に示すようにしてもよい。
【００６５】
電源盤１００に電源を供給する１つ以上の電源供給源１０は、外部から１つ以上の第１電力変換装置１１０に接続され、１つ以上の第１電力変換装置１１０のそれぞれに電源を供給するようにしてもよい。
【００６６】
１つ以上の電源供給源１０のそれぞれは、１つ以上の第１電力変換装置１１０のそれぞれに接続され、１つ以上の第１電力変換装置１１０のそれぞれに直流又は交流電源を供給するようにしてもよい。
【００６７】
１つ以上の電源供給源１０は、図２及び図３に示すように、ＡＣ電源を供給する第１交流電源１０＃１及び第２交流電源１０＃３と、ＤＣ電源を蓄えるバッテリ電源１０＃２とを含んでもよい。
【００６８】
ここで、第１交流電源１０＃１はＡＣ電源を供給する主系統電源Ｇであり、第２交流電源１０＃３はＡＣ電源を供給するバイパス系統電源Ｐであり、バッテリ電源１０＃２はＤＣ電源を供給するバッテリ電源Ｂであってもよい。
【００６９】
すなわち、１つ以上の電源供給源１０は、図４に示すように、系統電源Ｇ、バイパス電源Ｐ及びバッテリ電源Ｂを含んでもよい。
【００７０】
よって、複数の電源盤１００、２００、３００、４００のそれぞれには、系統電源Ｇ、バイパス電源Ｐ及びバッテリ電源Ｂのそれぞれから電源が供給されることになる。
【００７１】
第１交流電源１０＃１は、系統電源Ｇであってもよい。
【００７２】
第１交流電源１０＃１は、４４０［Ｖ］のＡＣ電源を供給する系統電源Ｇであってもよい。
【００７３】
第２交流電源１０＃３は、バイパス電源Ｐであってもよい。
【００７４】
第２交流電源１０＃３は、４４０［Ｖ］のＡＣ電源を供給するバイパス電源Ｐであってもよい。
【００７５】
バッテリ電源１０＃２は、ＤＣ電源を蓄え、非常時に蓄えられたＤＣ電源を供給する非常用バッテリであってもよい。
【００７６】
バッテリ電源１０＃２は、第１交流電源１０＃１及び第２交流電源１０＃３に異常が発生すると、蓄えられたＤＣ電源を電源盤１００に供給するようにしてもよい。
【００７７】
バッテリ電源Ｂには前記ＤＣ電源が蓄えられており、第１交流電源１０＃１及び第２交流電源１０＃３の電源供給が中断されると、前記電源供給が切り替えられて復旧される間、バッテリ電源Ｂに蓄えられた電源が複数の電源盤１００、２００、３００、４００に供給されるようにしてもよい。
【００７８】
バッテリ電源Ｂは、前記電源供給が中断されてから前記電源供給が切り替えられて復旧されるまで、前記蓄えられた電源を複数の電源盤１００、２００、３００、４００に無瞬断で供給するようにしてもよい。
【００７９】
また、１つ以上の電源供給源１０は、第１交流電源Ｇ、第２交流電源Ｐ及びバッテリ電源Ｂの電源供給が中断されると、非常発電電源を負荷２０に供給する非常用電源Ａをさらに含んでもよい。
【００８０】
非常用電源Ａは、第１交流電源Ｇ、第２交流電源Ｐ及びバッテリ電源Ｂに異常が発生すると、非常発電電源を負荷２０に供給するようにしてもよい。
【００８１】
非常用電源Ａは、複数の電源盤１００、２００、３００、４００のそれぞれに電源を供給する第１交流電源Ｇ、第２交流電源Ｐ及びバッテリ電源Ｂの全てに異常が発生して電源を供給できない場合、非常用電源を負荷２０のそれぞれに供給して負荷２０の駆動を所定時間維持する電源であってもよい。
【００８２】
例えば、非常用電源Ａは、非常用発電機を含む電源であってもよい。
【００８３】
複数の電源盤１００、２００、３００、４００のそれぞれには、図４に示すように、３つの電源供給源１０、すなわち系統電源Ｇ、バイパス電源Ｐ及びバッテリ電源Ｂから電源が供給され、非常用電源Ａからは系統電源Ｇ、バイパス電源Ｐ及びバッテリ電源Ｂが電源を供給できない場合にのみ電源が供給されることが好ましい。
【００８４】
ここで、複数の電源盤１００、２００、３００、４００のそれぞれに電源を供給する１つ以上の電源供給源１０のそれぞれは、１つの系統から複数の電源盤１００、２００、３００、４００のそれぞれに電源を供給するようにしてもよく、分離された配電盤により分離された配電盤のそれぞれから複数の電源盤１００、２００、３００、４００のそれぞれに電源を供給するようにしてもよい。
【００８５】
複数の電源盤１００、２００、３００、４００のそれぞれは、１つ以上の電源供給源１０から供給された電源を前記ＤＣ電源に変換する１つ以上の第１電力変換装置１１０、２１０、３１０、４１０と、１つ以上の第１電力変換装置１１０、２１０、３１０、４１０から供給された前記ＤＣ電源を前記駆動電源に変換して負荷２０に供給する第２電力変換装置１２０、２２０、３２０、４２０とを含んでもよい。
【００８６】
ここで、１つ以上の第１電力変換装置１１０、２１０、３１０、４１０及び第２電力変換装置１２０、２２０、３２０、４２０は、複数からなるようにしてもよい。
【００８７】
複数の電源盤１００、２００、３００、４００のそれぞれは、１つ以上の電源供給源１０の状態によって、１つ以上の第１電力変換装置１１０、２１０、３１０、４１０のいずれかにより１つ以上の第２電力変換装置１２０、２２０、３２０、４２０に前記ＤＣ電源を供給するようにしてもよい。
【００８８】
第１電力変換装置１１０、２１０、３１０、４１０は、供給された電源をＤＣ電源に変換する装置であり、例えばコンバータであってもよい。
【００８９】
第１電力変換装置１１０、２１０、３１０、４１０は、ＡＣ電源をＤＣ電源に変換するＡＣ／ＤＣコンバータであってもよく、ＤＣ電源をＤＣ電源に変換するＤＣ／ＤＣコンバータであってもよい。
【００９０】
１つ以上の第１電力変換装置１１０、２１０、３１０、４１０は、ＡＣ電源をＤＣ電源に変換するＡＣ／ＤＣコンバータ及びＤＣ電源のレベルを変換するＤＣ／ＤＣコンバータの１つ以上を含んでもよい。
【００９１】
１つ以上の第１電力変換装置１１０、２１０、３１０、４１０は、１つ以上の電源供給源１０のそれぞれに対応して、３つの変換装置１１０＃１〜＃３、２１０＃１〜＃３、３１０＃１〜＃３、４１０＃１〜＃３を含んでもよい。
【００９２】
１つ以上の第１電力変換装置１１０、２１０、３１０、４１０は、第１交流電源１０＃１、バッテリ電源１０＃２及び第２交流電源１０＃３のそれぞれに接続され、接続された電源供給源から電源が供給される第１〜第３変換装置１１０＃１〜＃３、２１０＃１〜＃３、３１０＃１〜＃３、４１０＃１〜＃３を含んでもよい。
【００９３】
これによれば、第１交流電源１０＃１は、第１変換装置１１０＃１、２１０＃１、３１０＃１、４１０＃１に接続され、第１変換装置１１０＃１、２１０＃１、３１０＃１、４１０＃１にＡＣ電源を供給し、バッテリ電源１０＃２は、第２変換装置１１０＃２、２１０＃２、３１０＃２、４１０＃２に接続され、第２変換装置１１０＃２、２１０＃２、３１０＃２、４１０＃２にＤＣ電源を供給し、第２交流電源１０＃３は、第３変換装置１１０＃３、２１０＃３、３１０＃３、４１０＃３に接続され、第３変換装置１１０＃３、２１０＃３、３１０＃３、４１０＃３にＡＣ電源を供給することになる。
【００９４】
第１変換装置１１０＃１、２１０＃１、３１０＃１、４１０＃１は、ＡＣ電源をＤＣ電源に変換するＡＣ／ＤＣコンバータであってもよく、また、第２変換装置１１０＃２、２１０＃２、３１０＃２、４１０＃２は、ＤＣ電源のレベルを変換するＤＣ／ＤＣコンバータであってもよく、また、第３変換装置１１０＃３、２１０＃３、３１０＃３、４１０＃３は、ＡＣ電源をＤＣ電源に変換するＡＣ／ＤＣコンバータであってもよい。
【００９５】
１つ以上の第１電力変換装置１１０、２１０、３１０、４１０のそれぞれは、前段及び後段のそれぞれに接続を開閉する開閉手段を含んでもよい。
【００９６】
前記開閉手段は、１つ以上の第１電力変換装置１１０、２１０、３１０、４１０のそれぞれの入力端及び出力端のそれぞれに備えられ、１つ以上の第１電力変換装置１１０、２１０、３１０、４１０において入出力される電源を断続するスイッチであってもよい。
【００９７】
ここで、前記入力端に備えられる開閉手段は、過電流を検知して回路を遮断する遮断器であってもよい。
【００９８】
より具体的には、第１交流電源１０＃１及び第２交流電源１０＃３からＡＣ電源が供給される第１変換装置１１０＃１、２１０＃１、３１０＃１、４１０＃１及び第３変換装置１１０＃３、２１０＃３、３１０＃３、４１０＃３の入力端には、交流気中遮断器（ACB: Air Circuit Breaker）が備えられ、バッテリ電源１０＃２からＤＣ電源が供給される第２変換装置１１０＃２、２１０＃２、３１０＃２、４１０＃２の入力端には、直流配線用遮断器（MCCB: Molded Circuit Breaker）が備えられてもよい。
【００９９】
前記開閉手段は、１つ以上の第１電力変換装置１１０、２１０、３１０、４１０の動作によって１つ以上の第１電力変換装置１１０、２１０、３１０、４１０の接続を開閉するようにしてもよい。
【０１００】
例えば、１つ以上の電源供給源１０から電源供給を受けない場合、前記入力端及び前記出力端のそれぞれに備えられる開閉手段が開路され、当該変換装置の接続が分離されるようにしてもよい。
【０１０１】
１つ以上の第１電力変換装置１１０、２１０、３１０、４１０は、前記出力端が１つの電源端Ｏ１、Ｏ２、Ｏ３、Ｏ４に接続されてもよい。
【０１０２】
すなわち、１つ以上の第１電力変換装置１１０、２１０、３１０、４１０は、前記出力端が電源端Ｏ１、Ｏ２、Ｏ３、Ｏ４に共通に接続され、１つ以上の第１電力変換装置１１０、２１０、３１０、４１０で変換された前記ＤＣ電源が流れるようにしてもよい。
【０１０３】
よって、電源端Ｏ１、Ｏ２、Ｏ３、Ｏ４は、１つ以上の第１電力変換装置１１０、２１０、３１０、４１０の出力端が共通に接続され、１つ以上の第１電力変換装置１１０、２１０、３１０、４１０から出力された前記ＤＣ電源が流れる電路であってもよい。
【０１０４】
電源端Ｏ１、Ｏ２、Ｏ３、Ｏ４は、他の電源盤の電源端Ｏ１、Ｏ２、Ｏ３、Ｏ４のそれぞれ及び第２電力変換装置１２０、２２０、３２０、４２０の入力端に接続されてもよい。
【０１０５】
電源端Ｏ１、Ｏ２、Ｏ３、Ｏ４は、前記他の電源盤の電源端Ｏ１、Ｏ２、Ｏ３、Ｏ４のそれぞれに接続され、他の電源盤１００、２００、３００、４００のそれぞれに接続されてもよい。
【０１０６】
電源端Ｏ１、Ｏ２、Ｏ３、Ｏ４は、他の電源盤１００、２００、３００、４００の電源端Ｏ１、Ｏ２、Ｏ３、Ｏ４のそれぞれ及び第２電力変換装置１２０、２２０、３２０、４２０のそれぞれの入力端に接続され、前記ＤＣ電源が他の電源盤１００、２００、３００、４００又は第２電力変換装置１２０、２２０、３２０、４２０に送られるようにしてもよい。
【０１０７】
電源端Ｏ１、Ｏ２、Ｏ３、Ｏ４は、複数の遮断器１３０のうちいずれか３つの遮断器に接続されてもよい。
【０１０８】
すなわち、電源端Ｏ１、Ｏ２、Ｏ３、Ｏ４は、電源端Ｏ１、Ｏ２、Ｏ３、Ｏ４に接続されたいずれか３つの遮断器により電源端Ｏ１、Ｏ２、Ｏ３、Ｏ４間の接続が断続されるようにしてもよい。
【０１０９】
よって、電源端Ｏ１、Ｏ２、Ｏ３、Ｏ４間で送られる前記ＤＣ電源は、電源端Ｏ１、Ｏ２、Ｏ３、Ｏ４に接続された遮断器により制御することができる。
【０１１０】
このように、１つ以上の第１電力変換装置１１０、２１０、３１０、４１０の出力端が共通に接続された電源端Ｏ１、Ｏ２、Ｏ３、Ｏ４が他の電源盤１００、２００、３００、４００の電源端Ｏ１、Ｏ２、Ｏ３、Ｏ４のそれぞれ及び第２電力変換装置１２０、２２０、３２０、４２０の入力端に接続されることにより、電源端Ｏ１、Ｏ２、Ｏ３、Ｏ４を介して、１つ以上の第１電力変換装置１１０、２１０、３１０、４１０で変換されて出力された前記ＤＣ電源を送ることができるようになる。
【０１１１】
１つ以上の第１電力変換装置１１０、２１０、３１０、４１０で変換されて出力された前記ＤＣ電源は、第２電力変換装置１２０、２２０、３２０、４２０に送られるようにしてもよい。
【０１１２】
１つ以上の第１電力変換装置１１０、２１０、３１０、４１０は、第１〜第３変換装置１１０＃１〜＃３、２１０＃１〜＃３、３１０＃１〜＃３、４１０＃１〜＃３のいずれかが動作し、第２電力変換装置１２０、２２０、３２０、４２０に前記ＤＣ電源を供給するようにしてもよい。
【０１１３】
複数の電源盤１００、２００、３００、４００は、第２電力変換装置１２０、２２０、３２０、４２０に前記ＤＣ電源を供給する変換装置１１０＃１〜＃３、２１０＃１〜＃３、３１０＃１〜＃３、４１０＃１〜＃３の電源供給が中断されると、変換装置１１０＃１〜＃３、２１０＃１〜＃３、３１０＃１〜＃３、４１０＃１〜＃３以外の他の変換装置により第２電力変換装置１２０、２２０、３２０、４２０に前記ＤＣ電源を供給するようにしてもよい。
【０１１４】
１つ以上の第１電力変換装置１１０、２１０、３１０、４１０は、第２電力変換装置１２０、２２０、３２０、４２０に前記ＤＣ電源を供給する変換装置１１０＃１〜＃３、２１０＃１〜＃３、３１０＃１〜＃３、４１０＃１〜＃３の電源供給が中断されると、変換装置１１０＃１〜＃３、２１０＃１〜＃３、３１０＃１〜＃３、４１０＃１〜＃３が前記他の変換装置に切り替えられる間、バッテリ電源１０＃２から電源供給を受ける変換装置１１０＃２、２１０＃２、３１０＃２、４１０＃２により第２電力変換装置１２０、２２０、３２０、４２０に前記ＤＣ電源を供給するようにしてもよい。
【０１１５】
ここで、変換装置１１０＃１〜＃３、２１０＃１〜＃３、３１０＃１〜＃３、４１０＃１〜＃３の電源供給が中断されるとは、変換装置１１０＃１〜＃３、２１０＃１〜＃３、３１０＃１〜＃３、４１０＃１〜＃３、変換装置１１０＃１〜＃３、２１０＃１〜＃３、３１０＃１〜＃３、４１０＃１〜＃３に接続された供給源、及び前記ＤＣ電源の定格のいずれか１つ以上において異常状態が検出されることであってもよい。
【０１１６】
例えば、第１交流電源１０＃１に接続された第１変換装置１１０＃１、２１０＃１、３１０＃１、４１０＃１が第２電力変換装置１２０、２２０、３２０、４２０に前記ＤＣ電源を供給している間に、第１変換装置１１０＃１、２１０＃１、３１０＃１、４１０＃１から出力される前記ＤＣ電源の定格が低下して所定基準以下になると、第１変換装置１１０＃１、２１０＃１、３１０＃１、４１０＃１以外の他の変換装置である第３変換装置１１０＃３、２１０＃３、３１０＃３、４１０＃３により第２電力変換装置１２０、２２０、３２０、４２０に前記ＤＣ電源を供給するようにしてもよい。
【０１１７】
この場合、１つ以上の第１電力変換装置１１０、２１０、３１０、４１０は、第１変換装置１１０＃１、２１０＃１、３１０＃１、４１０＃１が第３変換装置１１０＃３、２１０＃３、３１０＃３、４１０＃３に切り替えられる間、バッテリ電源１０＃２に接続された第２変換装置１１０＃２、２１０＃２、３１０＃２、４１０＃２により第２電力変換装置１２０、２２０、３２０、４２０に前記ＤＣ電源を供給するようにしてもよい。
【０１１８】
すなわち、バッテリ電源１０＃２に接続された第２変換装置１１０＃２、２１０＃２、３１０＃２、４１０＃２は、第２電力変換装置１２０、２２０、３２０、４２０への前記ＤＣ電源の供給が中断されると、前記ＤＣ電源の供給が切り替えられて復旧されるまで、第２電力変換装置１２０、２２０、３２０、４２０に前記ＤＣ電源を供給するようにしてもよい。
【０１１９】
第２電力変換装置１２０、２２０、３２０、４２０は、複数からなるようにしてもよい。
【０１２０】
第２電力変換装置１２０、２２０、３２０、４２０は、供給されたＤＣ電源を前記駆動電源に変換する装置であり、例えばインバータであってもよい。
【０１２１】
第２電力変換装置１２０、２２０、３２０、４２０は、前記負荷がＡＣ電源で駆動される負荷である場合、１つ以上の第１電力変換装置１１０、２１０、３１０、４１０からのＤＣ電源をＡＣの駆動電源に変換するインバータであってもよい。
【０１２２】
第２電力変換装置１２０、２２０、３２０、４２０は、前記負荷がＤＣ電源で駆動される負荷である場合、１つ以上の第１電力変換装置１１０、２１０、３１０、４１０からのＤＣ電源をＤＣの駆動電源に変換するインバータであってもよい。
【０１２３】
第２電力変換装置１２０、２２０、３２０、４２０は、負荷２０に対応する数で備えられてもよい。
【０１２４】
負荷２０は、複数からなるようにしてもよい。
【０１２５】
第２電力変換装置１２０、２２０、３２０、４２０は、負荷２０に対応して、３つ以上のインバータ１２０＃１〜＃３、２２０＃１〜＃３、３２０＃１〜＃３、４２０＃１〜＃３を含んでもよい。
【０１２６】
第２電力変換装置１２０、２２０、３２０、４２０のそれぞれは、負荷２０のそれぞれに接続され、接続された負荷２０に前記駆動電源を供給するようにしてもよい。
【０１２７】
第２電力変換装置１２０、２２０、３２０、４２０のそれぞれは、前段に接続を開閉する開閉手段を含んでもよい。
【０１２８】
前記開閉手段は、第２電力変換装置１２０、２２０、３２０、４２０のそれぞれの入力端に備えられ、第２電力変換装置１２０、２２０、３２０、４２０に入力される電源を断続するスイッチであってもよい。
【０１２９】
ここで、前記入力端に備えられる開閉手段は、過電流を検知して回路を遮断する遮断器であってもよい。
【０１３０】
第２電力変換装置１２０、２２０、３２０、４２０で変換されて出力される前記駆動電源は、負荷２０のそれぞれに送られるようにしてもよい。
【０１３１】
ここで、負荷２０は、電動機（Ｍ）負荷を含んでもよい。
【０１３２】
複数の電源盤１００、２００、３００、４００のそれぞれは、電源端Ｏ１〜Ｏ４が他の電源盤１００、２００、３００、４００の電源端Ｏ１〜Ｏ４のそれぞれに接続されるようにしてもよい。
【０１３３】
複数の電源盤１００、２００、３００、４００のそれぞれは、いずれか１つの電源盤の電源端Ｏ１〜Ｏ４が他の電源盤１００、２００、３００、４００の電源端Ｏ１〜Ｏ４のそれぞれに接続されるようにしてもよい。
【０１３４】
複数の電源盤１００、２００、３００、４００は、いずれか１つの電源盤の電源端Ｏ１〜Ｏ４と他の電源盤１００、２００、３００、４００の電源端Ｏ１〜Ｏ４間のそれぞれに複数の遮断器１３０がそれぞれ配置されるようにしてもよい。
【０１３５】
複数の遮断器１３０は、前記いずれか１つの電源盤の電源端Ｏ１〜Ｏ４と前記他の電源盤の電源端Ｏ１〜Ｏ４間のそれぞれに配置されるようにしてもよい。
【０１３６】
このように電源端Ｏ１〜Ｏ４が互いに接続されるシステム１０００は、電源端Ｏ１〜Ｏ４のそれぞれを互いに接続する複数のＤＣ電路１をさらに含み、複数の遮断器１３０が、複数のＤＣ電路１のそれぞれに配置され、複数のＤＣ電路１のそれぞれにおいて前記ＤＣ電源を接続又は切断するようにしてもよい。
【０１３７】
複数の電源盤１００、２００、３００、４００のそれぞれの電源端Ｏ１〜Ｏ４は、複数のＤＣ電路１のそれぞれに配置された複数の遮断器１３０（１３０ａ〜１３０ｆ）に接続されてもよい。
【０１３８】
複数の電源盤１００、２００、３００、４００のそれぞれは、前記ＤＣ電源が出力される電源端Ｏ１〜Ｏ４が複数の遮断器１３０のうちいずれか３つの遮断器に接続されるようにしてもよい。
【０１３９】
すなわち、複数の電源盤１００、２００、３００、４００のそれぞれの電源端Ｏ１〜Ｏ４は、３つの遮断器に接続されてもよい。
【０１４０】
例えば、複数の電源盤１００、２００、３００、４００が図１に示すように４つである場合、第１電源盤１００が第１遮断器１３０ａ、第２遮断器１３０ｂ及び第３遮断器１３０ｃに接続され、第２電源盤２００が第２遮断器１３０ｂ、第４遮断器１３０ｄ及び第６遮断器１３０ｆに接続され、第３電源盤３００が第１遮断器１３０ａ、第４遮断器１３０ｄ及び第５遮断器１３０ｅに接続され、第４電源盤４００が第４遮断器１３０ｄ、第５遮断器１３０ｅ及び第６遮断器１３０ｆに接続されるようにしてもよい。
【０１４１】
つまり、複数の遮断器１３０のそれぞれが２つの電源盤に接続される。
【０１４２】
例えば、第１遮断器１３０ａは、第１電源盤１００及び第３電源盤３００に接続され、第２遮断器１３０ｂは、第１電源盤１００及び第２電源盤２００に接続され、第３遮断器１３０ｃは、第１電源盤１００及び第４電源盤４００に接続され、第４遮断器１３０ｄは、第２電源盤２００及び第３電源盤３００に接続され、第５遮断器１３０ｅは、第３電源盤３００及び第４電源盤４００に接続され、第６遮断器１３０ｆは、第２電源盤２００及び第４電源盤４００に接続されるようにしてもよい。
【０１４３】
複数の電源盤１００、２００、３００、４００は、いずれか１つの電源盤の電源端が他の電源盤の電源端のそれぞれに接続されてもよい。
【０１４４】
すなわち、複数の電源盤１００、２００、３００、４００は、他の電源盤のそれぞれに接続されてもよい。
【０１４５】
例えば、第１電源盤１００は、第１遮断器１３０ａを介して第３電源盤３００に接続され、第２遮断器１３０ｂを介して第２電源盤２００に接続され、第３遮断器１３０ｃを介して第４電源盤４００に接続され、第２〜第４電源盤２００、３００、４００のそれぞれに接続されてもよい。
【０１４６】
また、第２電源盤２００は、第２遮断器１３０ｂを介して第１電源盤１００に接続され、第４遮断器１３０ｄを介して第３電源盤３００に接続され、第６遮断器１３０ｆを介して第４電源盤４００に接続され、第１電源盤１００、第３電源盤３００及び第４電源盤４００のそれぞれに接続されてもよい。
【０１４７】
さらに、第３電源盤３００は、第１遮断器１３０ａを介して第１電源盤１００に接続され、第４遮断器１３０ｄを介して第２電源盤２００に接続され、第５遮断器１３０ｅを介して第４電源盤４００に接続され、第１電源盤１００、第２電源盤２００及び第４電源盤４００のそれぞれに接続されてもよい。
【０１４８】
さらに、第４電源盤４００は、第２遮断器１３０ｂを介して第１電源盤１００に接続され、第５遮断器１３０ｅを介して第３電源盤３００に接続され、第６遮断器１３０ｆを介して第２電源盤２００に接続され、第１電源盤１００、第２電源盤２００及び第３電源盤３００のそれぞれに接続されてもよい。
【０１４９】
電源端Ｏ１〜Ｏ４に接続される複数の遮断器１３０は、ＤＣ電源を遮断するＤＣ遮断器であってもよい。
【０１５０】
電源端Ｏ１〜Ｏ４のそれぞれは、複数のＤＣ電路１に備えられた複数の遮断器１３０のいずれか３つに接続されてもよい。
【０１５１】
複数の遮断器１３０は、複数のＤＣ電路１において複数の電源盤１００、２００、３００、４００のそれぞれの電源端Ｏ１〜Ｏ４が接続される電路のそれぞれに備えられ、複数の電源盤１００、２００、３００、４００間の接続を断続するようにしてもよい。
【０１５２】
複数の遮断器１３０は、複数の電源盤１００、２００、３００、４００において１つ以上の第１電力変換装置１１０、２１０、３１０、４１０のそれぞれの出力端が接続された電源端Ｏ１〜Ｏ４が互いに接続される電路のそれぞれに備えられてもよい。
【０１５３】
すなわち、複数の遮断器１３０は、電源端Ｏ１〜Ｏ４間のそれぞれに備えられ、複数の電源盤１００、２００、３００、４００間の接続を断続するようにしてもよい。
【０１５４】
これによれば、複数の電源盤１００、２００、３００、４００は、電源端Ｏ１〜Ｏ４に接続された複数のＤＣ電路１を介して互いに接続され、複数の遮断器１３０の開閉により複数の電源盤１００、２００、３００、４００間の接続を断続することができる。
【０１５５】
電源端Ｏ１〜Ｏ４のそれぞれが互いに接続される複数のＤＣ電路１のそれぞれに配置されて電源端Ｏ１〜Ｏ４及び複数のＤＣ電路１を接続又は切断する複数の遮断器１３０は、ＤＣ専用配線用遮断器（ＭＣＣＢ）であってもよい。
【０１５６】
複数の遮断器１３０は、前記ＤＣ電源、前記駆動電源、１つ以上の第１電力変換装置１１０、２１０、３１０、４１０、及び負荷２０の少なくとも１つの状態によって開閉を変えて、電源端Ｏ１〜Ｏ４が接続される電源端間のそれぞれにおいて前記ＤＣ電源を接続又は切断するようにしてもよい。
【０１５７】
ここで、前記少なくとも１つの状態は、前記ＤＣ電源が初期状態から変動した場合、前記駆動電源が初期状態から変動した場合、１つ以上の第１電力変換装置１１０、２１０、３１０、４１０の電源供給状態が変動した場合、及び負荷２０の駆動状態が変動した場合の１つ以上であってもよい。
【０１５８】
例えば、前記少なくとも１つの状態は、前記ＤＣ電源又は前記駆動電源が基準定格以下となった場合、１つ以上の第１電力変換装置１１０、２１０、３１０、４１０に故障／事故が発生して電源供給状態が変動した場合、又は負荷２０に供給される前記駆動電源が低下して負荷２０の駆動状態が変動した場合であってもよい。
【０１５９】
複数のＤＣ電路１は、ＤＣ電源が流れるＤＣバスラインであってもよい。
【０１６０】
複数のＤＣ電路１とは、複数の電源供給源が共通に接続され、電源が送られるＤＣ専用電路を意味する。
【０１６１】
複数のＤＣ電路１は、複数のＤＣ電源供給源に接続され、前記複数のＤＣ電源供給源から供給されるＤＣ電源が送られるようにしてもよい。
【０１６２】
例えば、複数の電源盤１００、２００、３００、４００のそれぞれの電源端Ｏ１〜Ｏ４が接続されることにより、複数の電源盤１００、２００、３００、４００間で前記ＤＣ電源を送ることができるようになる。
【０１６３】
複数のＤＣ電路１は、１つないし２つの変換装置から供給されるＤＣ電源の大きさの定格であることが好ましい。
【０１６４】
すなわち、複数のＤＣ電路１の定格は、２つの変換装置から供給されるＤＣ電源が送られる定格であってもよい。
【０１６５】
複数のＤＣ電路１は、複数の遮断器１３０の開閉により前記ＤＣ電源が流れるようにしてもよい。
【０１６６】
複数のＤＣ電路１は、複数の遮断器１３０の開閉動作により前記ＤＣ電源が導通するようにしてもよい。
【０１６７】
複数のＤＣ電路１は、電源端Ｏ１〜Ｏ４のそれぞれを互いに接続し、電源端Ｏ１〜Ｏ４間の接続がメッシュ状になるようにしてもよい。
【０１６８】
すなわち、複数の電源盤１００、２００、３００、４００のそれぞれの電源端Ｏ１〜Ｏ４がメッシュ状になるように電源端Ｏ１〜Ｏ４のそれぞれを互いに接続する複数のＤＣ電路１に繋がれることにより、複数の電源盤１００、２００、３００、４００のそれぞれの電源端Ｏ１〜Ｏ４がメッシュ状に接続される。
【０１６９】
複数のＤＣ電路１は、複数の電源盤１００、２００、３００、４００のうちいずれか１つの電源盤の電源端Ｏ１〜Ｏ４と他の電源盤の電源端Ｏ１〜Ｏ４のそれぞれが接続される数の電路からなるようにしてもよい。
【０１７０】
例えば、前記電路は、第１電源盤１００と第３電源盤３００が接続される第１電路、第１電源盤１００と第２電源盤２００が接続される第２電路、第１電源盤１００と第４電源盤４００が接続される第３電路、第２電源盤２００と第３電源盤３００が接続される第４電路、第３電源盤３００と第４電源盤４００が接続される第５電路、及び第２電源盤２００と第４電源盤４００が接続される第６電路からなるようにしてもよく、また、前記第１〜第６電路がメッシュ状に形成されるようにしてもよい。
【０１７１】
ここで、前記第１電路には第１遮断器１３０ａが備えられ、前記第２電路には第２遮断器１３０ｂが備えられ、前記第３電路には第３遮断器１３０ｃが備えられ、前記第４電路には第４遮断器１３０ｄが備えられ、前記第５電路には第５遮断器１３０ｅが備えられ、前記第６電路には第６遮断器１３０ｆが備えられ、それぞれ前記第１〜第６電路の開閉を断続するようにしてもよい。
【０１７２】
よって、複数の遮断器１３０は、複数の電路がメッシュ状に形成された複数のＤＣ電路１を介しての複数の電源盤１００、２００、３００、４００間の接続を断続することができる。
【０１７３】
複数の遮断器１３０は、複数の電源盤１００、２００、３００、４００のうちいずれか１つの電源盤の電源端と他の電源盤の電源端のそれぞれが接続される数で備えられてもよい。
【０１７４】
すなわち、前記いずれか１つの電源盤の電源端は、前記他の電源盤の電源端のそれぞれに接続されるようにしてもよい。
【０１７５】
複数の遮断器１３０は、複数の電源盤１００、２００、３００、４００がＮ個の場合、Ｎ（Ｎ−１）／２個備えられてもよい。
【０１７６】
例えば、複数の電源盤１００、２００、３００、４００が４つの場合、すなわちＮが４である場合、複数の遮断器１３０は、４（４−１）／２である６つ備えられてもよい。
【０１７７】
複数の遮断器１３０のそれぞれは、平時に開路され、動作時に閉路されることにより、複数の電源盤１００、２００、３００、４００間の接続を断続するようにしてもよい。
【０１７８】
よって、複数の電源盤１００、２００、３００、４００のそれぞれは、複数の遮断器１３０のそれぞれの開閉により他の電源盤に接続される。
【０１７９】
複数の遮断器１３０は、複数の電源盤１００、２００、３００、４００間で前記ＤＣ電源を接続する場合に閉路され、複数の電源盤１００、２００、３００、４００間で前記ＤＣ電源を切断する場合に開路されるようにしてもよい。
【０１８０】
複数の電源盤１００、２００、３００、４００のそれぞれが複数の遮断器１３０を介して他の電源盤に接続される形態は、図１に示すようにしてもよい。
【０１８１】
複数の電源盤１００、２００、３００、４００は、図１に示すように、第１電源盤１００、第２電源盤２００、第３電源盤３００及び第４電源盤４００のそれぞれの電源端Ｏ１〜Ｏ４が複数のＤＣ電路１に接続され、複数のＤＣ電路１に接続された複数の電源盤１００、２００、３００、４００のそれぞれの電源端Ｏ１〜Ｏ４間に第１〜第６遮断器１３０ａ〜１３０ｆのそれぞれが備えられるようにしてもよい。
【０１８２】
図１を参照して、接続形態についてより具体的に説明する。
【０１８３】
第１電源盤１００の第１電源端Ｏ１は、複数のＤＣ電路１に接続されて第２電源盤２００の第２電源端Ｏ２、第３電源盤３００の第３電源端Ｏ３及び第４電源盤４００の第４電源端Ｏ４に接続され、第１電源端Ｏ１と第２電源端Ｏ２間に第２遮断器１３０ｂが備えられ、第１電源端Ｏ１と第３電源端Ｏ３間に第１遮断器１３０ａが備えられ、第１電源端Ｏ１と第４電源端Ｏ４間に第３遮断器１３０ｃが備えられ、第１電源盤１００と第２電源盤２００との接続は第２遮断器１３０ｂにより断続され、第１電源盤１００と第３電源盤３００との接続は第１遮断器１３０ａにより断続され、第１電源盤１００と第４電源盤４００との接続は第３遮断器１３０ｃにより断続される。
【０１８４】
第２電源盤２００の第２電源端Ｏ２は、複数のＤＣ電路１に接続されて第１電源盤１００の第１電源端Ｏ１、第３電源盤３００の第３電源端Ｏ３及び第４電源盤４００の第４電源端Ｏ４に接続され、第１電源端Ｏ１と第２電源端Ｏ２間に第２遮断器１３０ｂが備えられ、第２電源端Ｏ２と第３電源端Ｏ３間に第４遮断器１３０ｄが備えられ、第２電源端Ｏ２と第４電源端Ｏ４間に第６遮断器１３０ｆが備えられ、第１電源盤１００と第２電源盤２００との接続は第２遮断器１３０ｂにより断続され、第２電源盤２００と第３電源盤３００との接続は第４遮断器１３０ｄにより断続され、第２電源盤２００と第４電源盤４００との接続は第６遮断器１３０ｆにより断続される。
【０１８５】
第３電源盤３００の第３電源端Ｏ３は、複数のＤＣ電路１に接続されて第１電源盤１００の第１電源端Ｏ１、第２電源盤２００の第２電源端Ｏ２及び第４電源盤４００の第４電源端Ｏ４に接続され、第１電源端Ｏ１と第３電源端Ｏ３間に第１遮断器１３０ａが備えられ、第２電源端Ｏ２と第３電源端Ｏ３間に第４遮断器１３０ｄが備えられ、第３電源端Ｏ３と第４電源端Ｏ４間に第５遮断器１３０ｅが備えられ、第１電源盤１００と第３電源盤３００との接続は第１遮断器１３０ａにより断続され、第２電源盤２００と第３電源盤３００との接続は第４遮断器１３０ｄにより断続され、第３電源盤３００と第４電源盤４００との接続は第５遮断器１３０ｅにより断続される。
【０１８６】
第４電源盤４００の第４電源端Ｏ４は、複数のＤＣ電路１に接続されて第１電源盤１００の第１電源端Ｏ１、第２電源盤２００の第２電源端Ｏ２及び第３電源盤３００の第３電源端Ｏ３に接続され、第１電源端Ｏ１と第４電源端Ｏ４間に第３遮断器１３０ｃが備えられ、第２電源端Ｏ２と第４電源端Ｏ４間に第６遮断器１３０ｆが備えられ、第３電源端Ｏ３と第４電源端Ｏ４間に第５遮断器１３０ｅが備えられ、第１電源盤１００と第４電源盤４００との接続は第３遮断器１３０ｃにより断続され、第２電源盤２００と第４電源盤４００との接続は第６遮断器１３０ｆにより断続され、第３電源盤３００と第４電源盤４００との接続は第５遮断器１３０ｅにより断続される。
【０１８７】
このように第１〜第４電源盤１００、２００、３００、４００が接続されることにより、複数の電源盤１００、２００、３００、４００の電源端Ｏ１〜Ｏ４がメッシュ状に接続される。
【０１８８】
このように、複数の電源盤１００、２００、３００、４００のそれぞれが互いに接続されることにより、複数の電源盤１００、２００、３００、４００間で前記ＤＣ電源を送ることができるようになる。
【０１８９】
すなわち、複数の電源盤１００、２００、３００、４００のそれぞれが互いに接続され、図１に示すように、複数のＤＣ電路１を介して複数の電源盤１００、２００、３００、４００の電源端Ｏ１〜Ｏ４がメッシュ状に接続されることにより、第１電源盤１００は、第２電源盤２００、第３電源盤３００及び第４電源盤４００に接続されて第２電源盤２００、第３電源盤３００又は第４電源盤４００と前記ＤＣ電源の受供給を行い、第２電源盤２００は、第１電源盤１００、第３電源盤３００及び第４電源盤４００に接続されて第１電源盤１００、第３電源盤３００又は第４電源盤４００と前記ＤＣ電源の受供給を行い、第３電源盤３００は、第１電源盤１００、第２電源盤２００及び第４電源盤４００に接続されて第１電源盤１００、第２電源盤２００又は第４電源盤４００と前記ＤＣ電源の受供給を行い、第４電源盤４００は、第１電源盤１００、第２電源盤２００及び第３電源盤３００に接続されて第１電源盤１００、第２電源盤２００又は第３電源盤３００と前記ＤＣ電源の受供給を行うようにしてもよい。
【０１９０】
このように複数のＤＣ電路１を介してメッシュ状に接続される複数の電源盤１００、２００、３００、４００は、複数の遮断器１３０のそれぞれの開閉により、複数の電源盤１００、２００、３００、４００間の前記ＤＣ電源の受供給を行うことができる。
【０１９１】
例えば、第１電源盤１００と第３電源盤３００間の電路に接続された第１遮断器１３０ａが閉路された場合、第１電源盤１００と第３電源盤３００間の前記ＤＣ電源の受供給を行うことができ、第１電源盤１００と第２電源盤２００間の電路に接続された第２遮断器１３０ｂが閉路された場合、第１電源盤１００と第２電源盤２００間の前記ＤＣ電源の受供給を行うことができ、第１電源盤１００と第４電源盤４００間の電路に接続された第３遮断器１３０ｃが閉路された場合、第１電源盤１００と第４電源盤４００間の前記ＤＣ電源の受供給を行うことができ、第２電源盤２００と第３電源盤３００間の電路に接続された第４遮断器１３０ｄが閉路された場合、第２電源盤２００と第３電源盤３００間の前記ＤＣ電源の受供給を行うことができ、第３電源盤３００と第４電源盤４００間の電路に接続された第５遮断器１３０ｅが閉路された場合、第３電源盤３００と第４電源盤４００間の前記ＤＣ電源の受供給を行うことができ、第２電源盤２００と第４電源盤４００間の電路に接続された第６遮断器１３０ｆが閉路された場合、第２電源盤２００と第４電源盤４００間の前記ＤＣ電源の受供給を行うことができる。
【０１９２】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視するようにしてもよい。
【０１９３】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果に基づいて、第１〜第４遮断器１３０ａ〜１３０ｄのそれぞれの開閉を制御するようにしてもよい。
【０１９４】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視し、前記ＤＣ電源及び前記駆動電源の状態を検出するようにしてもよい。
【０１９５】
複数の電源盤１００、２００、３００、４００のそれぞれは、１つ以上の電源供給源１０のいずれかから供給された電源を前記ＤＣ電源に変換するようにしてもよい。
【０１９６】
すなわち、複数の電源盤１００、２００、３００、４００のそれぞれは、１つ以上の電源供給源１０のいずれかから選択的に電源供給を受けるようにしてもよい。
【０１９７】
複数の電源盤１００、２００、３００、４００のそれぞれは、予め設定された供給基準に基づいて、１つ以上の電源供給源１０のいずれかから供給された電源を前記ＤＣ電源に変換するようにしてもよい。
【０１９８】
前記供給基準は、１つ以上の電源供給源１０の電源供給優先順位に関する基準であってもよい。
【０１９９】
複数の電源盤１００、２００、３００、４００は、１つ以上の電源供給源１０の状態によって１つ以上の第１電力変換装置１１０、２１０、３１０、４１０のいずれかを選択し、選択した変換装置により第２電力変換装置１２０、２２０、３２０、４２０に前記ＤＣ電源を送るようにしてもよい。
【０２００】
すなわち、複数の電源盤１００、２００、３００、４００のそれぞれは、１つ以上の電源供給源１０の状態によって選択した１つの変換装置により第２電力変換装置１２０、２２０、３２０、４２０に前記ＤＣ電源を送るようにしてもよい。
【０２０１】
複数の電源盤１００、２００、３００、４００は、前記駆動電源への変換を行う第２電力変換装置１２０、２２０、３２０、４２０に前記ＤＣ電源を送っている変換装置及び前記変換装置に対応する電源供給源のいずれか１つ以上に異常が発生すると、前記変換装置以外の他の変換装置により第２電力変換装置１２０、２２０、３２０、４２０に前記ＤＣ電源を送るようにしてもよい。
【０２０２】
すなわち、複数の電源盤１００、２００、３００、４００のそれぞれは、前記ＤＣ電源を送っている変換装置及び前記変換装置に対応する電源供給源のいずれか１つ以上に異常が発生すると、前記変換装置以外の他の変換装置に切り替え、切り替えられた変換装置により第２電力変換装置１２０、２２０、３２０、４２０に前記ＤＣ電源を送るようにしてもよい。
【０２０３】
複数の電源盤１００、２００、３００、４００は、第２電力変換装置１２０、２２０、３２０、４２０に前記ＤＣ電源を送っている変換装置及び前記変換装置に対応する電源供給源のいずれか１つ以上に異常が発生すると、前記変換装置以外の他の変換装置により第２電力変換装置１２０、２２０、３２０、４２０に前記ＤＣ電源が送られるように、電源供給中の電源供給源及び変換装置を切り替えてもよい。
【０２０４】
複数の遮断器１３０、２３０、３３０、４３０は、複数の電源盤１００、２００、３００、４００の１つ以上の電源供給が中断されると、前記電源供給が中断された電源盤と前記電源供給が中断された電源盤に隣接する電源盤間に配置された遮断器が閉路され、複数のＤＣ電路１を介して前記電源供給が中断された電源盤が前記隣接する電源盤に接続され、前記隣接する電源盤から前記電源供給が中断された電源盤に前記ＤＣ電源が供給されるようにしてもよい。
【０２０５】
この場合、前記電源供給が中断された電源盤は、前記電源供給が中断されてから前記隣接する電源盤から導通した前記ＤＣ電源が供給されるまで、バッテリ電源Ｂに接続された変換装置から前記ＤＣ電源が供給されるようにしてもよい。
【０２０６】
このようなシステム１０００は、複数の電源盤１００、２００、３００、４００及び複数の遮断器１３０の少なくとも１つの状態を監視し、監視結果に基づいて複数の電源盤１００、２００、３００、４００及び複数の遮断器１３０の少なくとも１つを制御する制御装置６００をさらに含んでもよい。
【０２０７】
すなわち、複数の電源盤１００、２００、３００、４００は、制御装置６００により制御されるようにしてもよい。
【０２０８】
複数の電源盤１００、２００、３００、４００のそれぞれは、制御装置６００と通信を行い、制御装置６００との通信結果に基づいて動作するようにしてもよい。
【０２０９】
例えば、複数の電源盤１００、２００、３００、４００のそれぞれは、制御装置６００から制御命令を受け取り、前記制御命令に基づいて動作するか、又は制御装置６００に状態情報を送信するようにしてもよい。
【０２１０】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果に基づいて、制御装置６００に第１〜第４遮断器１３０ａ〜１３０ｄのそれぞれの開閉制御を要求するようにしてもよい。
【０２１１】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果を制御装置６００に送信するようにしてもよい。
【０２１２】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視し、前記ＤＣ電源及び前記駆動電源の状態を検出した結果を制御装置６００に送信するようにしてもよい。
【０２１３】
ここで、複数の電源盤１００、２００、３００、４００のそれぞれは、１つ以上の第１電力変換装置１１０、２１０、３１０、４１０及び第２電力変換装置１２０、２２０、３２０、４２０を制御し、１つ以上の電源供給源１０、１つ以上の第１電力変換装置１１０、前記ＤＣ電源、前記駆動電源、及び負荷２０の少なくとも１つの異常状態を監視する制御部１４０、２４０、３４０、４４０をさらに含んでもよい。
【０２１４】
制御部１４０、２４０、３４０、４４０は、複数の電源盤１００、２００、３００、４００のそれぞれの中央制御装置であってもよい。
【０２１５】
制御部１４０、２４０、３４０、４４０は、複数の電源盤１００、２００、３００、４００の制御のための複数の制御手段を含んでもよい。
【０２１６】
また、制御部１４０、２４０、３４０、４４０は、複数の電源盤１００、２００、３００、４００の機能実行のための複数の電子機器をさらに含んでもよい。
【０２１７】
例えば、制御部１４０、２４０、３４０、４４０は、複数の電源盤１００、２００、３００、４００の機能実行及び制御のためのソフトウェア／アプリケーション／プログラムが格納される格納手段、前記格納手段が含まれる専用制御手段、通信手段、表示手段及び入力手段の１つ以上を含んでもよい。
【０２１８】
制御部１４０、２４０、３４０、４４０は、制御装置６００により制御されるようにしてもよい。
【０２１９】
制御部１４０、２４０、３４０、４４０は、１つ以上の第１電力変換装置１１０、２１０、３１０、４１０及び第２電力変換装置１２０、２２０、３２０、４２０を制御するＰＬＣ（Programmable Logic Controller）を含んでもよい。
【０２２０】
制御部１４０、２４０、３４０、４４０は、１つ以上の第１電力変換装置１１０、２１０、３１０、４１０及び第２電力変換装置１２０、２２０、３２０、４２０の状態を監視し、監視結果に基づいて１つ以上の第１電力変換装置１１０、２１０、３１０、４１０及び第２電力変換装置１２０、２２０、３２０、４２０の動作を制御するようにしてもよい。
【０２２１】
また、制御部１４０、２４０、３４０、４４０は、１つ以上の電源供給源１０及び負荷２０の状態に基づいて、１つ以上の第１電力変換装置１１０、２１０、３１０、４１０及び第２電力変換装置１２０、２２０、３２０、４２０の動作を制御するようにしてもよい。
【０２２２】
制御部１４０、２４０、３４０、４４０は、１つ以上の第１電力変換装置１１０、２１０、３１０、４１０のそれぞれの動作を制御して、前記ＤＣ電源の変換及び供給を制御してもよい。
【０２２３】
また、制御部１４０、２４０、３４０、４４０は、１つ以上の第１電力変換装置１１０、２１０、３１０、４１０に含まれる開閉手段のそれぞれの開閉を制御してもよい。
【０２２４】
制御部１４０、２４０、３４０、４４０は、第２電力変換装置１２０、２２０、３２０、４２０のそれぞれの動作を制御して、前記駆動電源の変換及び供給を制御してもよい。
【０２２５】
また、制御部１４０、２４０、３４０、４４０は、第２電力変換装置１２０、２２０、３２０、４２０に含まれる開閉手段のそれぞれの開閉を制御してもよい。
【０２２６】
さらに、制御部１４０、２４０、３４０、４４０は、外部の通信装置及び制御装置６００の少なくとも１つと通信を行い、通信実行結果に基づいて、１つ以上の第１電力変換装置１１０、２１０、３１０、４１０及び第２電力変換装置１２０、２２０、３２０、４２０の動作を制御するようにしてもよい。
【０２２７】
例えば、制御部１４０、２４０、３４０、４４０は、制御装置６００から１つ以上の第１電力変換装置１１０、２１０、３１０、４１０及び第２電力変換装置１２０、２２０、３２０、４２０の少なくとも１つの動作制御に関する制御命令を受け取り、前記制御命令に基づいて１つ以上の第１電力変換装置１１０、２１０、３１０、４１０及び第２電力変換装置１２０、２２０、３２０、４２０の少なくとも１つの動作を制御してもよい。
【０２２８】
制御部１４０、２４０、３４０、４４０は、１つ以上の電源供給源１０のいずれかから供給された電源が前記ＤＣ電源に変換されるように制御してもよい。
【０２２９】
すなわち、制御部１４０、２４０、３４０、４４０は、１つ以上の電源供給源１０のいずれかから選択的に電源が供給されるように制御してもよい。
【０２３０】
制御部１４０、２４０、３４０、４４０は、予め設定された供給基準に基づいて、１つ以上の電源供給源１０のいずれかから供給された電源が前記ＤＣ電源に変換されるように制御してもよい。
【０２３１】
前記供給基準は、１つ以上の電源供給源１０の電源供給優先順位に関する基準であってもよい。
【０２３２】
例えば、前記電源供給優先順位は、第１交流電源１０＃１、第２交流電源１０＃３、バッテリ電源１０＃２の順に設定されてもよい。
【０２３３】
前記供給基準が前記電源供給優先順位に関する基準である場合、制御部１４０、２４０、３４０、４４０は、第１交流電源１０＃１、第２交流電源１０＃３、バッテリ電源１０＃２の順に電源を供給するように制御してもよい。
【０２３４】
制御部１４０、２４０、３４０、４４０は、第１交流電源１０＃１から電源が供給される場合、第１交流電源１０＃１に接続された第１変換装置１１０＃１、２１０＃１、３１０＃１、４１０＃１の動作を制御するようにしてもよい。
【０２３５】
この場合、制御部１４０、２４０、３４０、４４０は、第１変換装置１１０＃１、２１０＃１、３１０＃１、４１０＃１の開閉手段を閉路し、第２変換装置１１０＃２、２１０＃２、３１０＃２、４１０＃２及び第３変換装置１１０＃３、２１０＃３、３１０＃３、４１０＃３の開閉手段を開路することにより、第１変換装置１１０＃１、２１０＃１、３１０＃１、４１０＃１を接続し、第２変換装置１１０＃２、２１０＃２、３１０＃２、４１０＃２及び第３変換装置１１０＃３、２１０＃３、３１０＃３、４１０＃３を分離するようにしてもよい。
【０２３６】
制御部１４０、２４０、３４０、４４０は、第２交流電源１０＃３から電源が供給される場合、第２交流電源１０＃３に接続された第３変換装置１１０＃３、２１０＃３、３１０＃３、４１０＃３の動作を制御するようにしてもよい。
【０２３７】
この場合、制御部１４０、２４０、３４０、４４０は、第３変換装置１１０＃３、２１０＃３、３１０＃３、４１０＃３の開閉手段を閉路し、第１変換装置１１０＃１、２１０＃１、３１０＃１、４１０＃１及び第２変換装置１１０＃２、２１０＃２、３１０＃２、４１０＃２の開閉手段を開路することにより、第３変換装置１１０＃３、２１０＃３、３１０＃３、４１０＃３を接続し、第１変換装置１１０＃１、２１０＃１、３１０＃１、４１０＃１及び第２変換装置１１０＃２、２１０＃２、３１０＃２、４１０＃２を分離するようにしてもよい。
【０２３８】
制御部１４０、２４０、３４０、４４０は、バッテリ電源１０＃２から電源が供給される場合、バッテリ電源１０＃２に接続された第２変換装置１１０＃２、２１０＃２、３１０＃２、４１０＃２の動作を制御するようにしてもよい。
【０２３９】
この場合、制御部１４０、２４０、３４０、４４０は、第２変換装置１１０＃２、２１０＃２、３１０＃２、４１０＃２の開閉手段を閉路し、第１変換装置１１０＃１、２１０＃１、３１０＃１、４１０＃１及び第３変換装置１１０＃３、２１０＃３、３１０＃３、４１０＃３の開閉手段を開路することにより、第２変換装置１１０＃２、２１０＃２、３１０＃２、４１０＃２を接続し、第１変換装置１１０＃１、２１０＃１、３１０＃１、４１０＃１及び第３変換装置１１０＃３、２１０＃３、３１０＃３、４１０＃３を分離するようにしてもよい。
【０２４０】
制御部１４０、２４０、３４０、４４０は、１つ以上の電源供給源１０の状態によって１つ以上の第１電力変換装置１１０、２１０、３１０、４１０のいずれかを選択し、第２電力変換装置１２０、２２０、３２０、４２０に前記ＤＣ電源を送るように制御してもよい。
【０２４１】
すなわち、制御部１４０、２４０、３４０、４４０は、１つ以上の第１電力変換装置１１０、２１０、３１０、４１０から選択した変換装置により、供給された電源を前記ＤＣ電源に変換して第２電力変換装置１２０に送るように制御してもよい。
【０２４２】
例えば、１つ以上の電源供給源１０のうち、第１交流電源１０＃１及び第２交流電源１０＃３に異常が発生すると、バッテリ電源１０＃２に接続された第２変換装置１１０＃２、２１０＃２、３１０＃２、４１０＃２を選択し、第２変換装置１１０＃２、２１０＃２、３１０＃２、４１０＃２がバッテリ電源１０＃２から電源供給を受けて前記ＤＣ電源に変換し、前記ＤＣ電源を第２電力変換装置１２０、２２０、３２０、４２０のそれぞれに送るように制御してもよい。
【０２４３】
制御部１４０、２４０、３４０、４４０は、第２電力変換装置１２０、２２０、３２０、４２０に前記ＤＣ電源を送っている変換装置１１０、２１０、３１０、４１０及び変換装置１１０、２１０、３１０、４１０に対応する電源供給源１０のいずれか１つ以上に異常が発生すると、変換装置１１０、２１０、３１０、４１０以外の他の変換装置１１０、２１０、３１０、４１０により第２電力変換装置１２０、２２０、３２０、４２０に前記ＤＣ電源を送るように制御してもよい。
【０２４４】
制御部１４０、２４０、３４０、４４０は、第２電力変換装置１２０、２２０、３２０、４２０に前記ＤＣ電源を送っている変換装置１１０、２１０、３１０、４１０及び変換装置１１０、２１０、３１０、４１０に対応する電源供給源１０のいずれか１つ以上に異常が発生すると、変換装置１１０、２１０、３１０、４１０以外の他の変換装置１１０、２１０、３１０、４１０により第２電力変換装置１２０、２２０、３２０、４２０に前記ＤＣ電源が送られるように、電源供給中の電源供給源１０及び変換装置１１０、２１０、３１０、４１０を切り替えてもよい。
【０２４５】
例えば、制御部１４０、２４０、３４０、４４０は、第１変換装置１１０＃１、２１０＃１、３１０＃１、４１０＃１が第１交流電源１０＃１から供給された電源を前記ＤＣ電源に変換している間に、第１変換装置１１０＃１、２１０＃１、３１０＃１、４１０＃１が故障したり、第１交流電源１０＃１にシャットダウンが発生すると、第３変換装置１１０＃３、２１０＃３、３１０＃３、４１０＃３が第２交流電源１０＃３から供給された電源を前記ＤＣ電源に変換して前記ＤＣ電源を第２電力変換装置１２０、２２０、３２０、４２０に送るように、電源供給中の第１交流電源１０＃１を第２交流電源１０＃３に切り替え、第１変換装置１１０＃１、２１０＃１、３１０＃１、４１０＃１を第３変換装置１１０＃３、２１０＃３、３１０＃３、４１０＃３に切り替えてもよい。
【０２４６】
このように１つ以上の第１電力変換装置１１０、２１０、３１０、４１０及び第２電力変換装置１２０、２２０、３２０、４２０を制御する制御部１４０、２４０、３４０、４４０は、前記ＤＣ電源又は前記駆動電源の状態によって前記ＤＣ電源の受供給を制御装置６００に要求するようにしてもよい。
【０２４７】
例えば、前記駆動電源の大きさが負荷２０の必要とする大きさより小さい場合、又は前記ＤＣ電源が不足した場合は、複数の遮断器１３０を閉路して他の電源盤１００、２００、３００又は４００から前記ＤＣ電源が供給されるように、制御装置６００に要求してもよい。
【０２４８】
また、前記駆動電源の大きさが負荷２０の必要とする大きさより大きい場合、又は前記ＤＣ電源に余裕がある場合は、複数の遮断器１３０を閉路して他の電源盤１００、２００、３００又は４００に前記ＤＣ電源が供給されるように、制御装置６００に要求してもよい。
【０２４９】
それとは逆に、１つ以上の第１電力変換装置１１０、２１０、３１０、４１０又は第２電力変換装置１２０、２２０、３２０、４２０に故障が発生して電源端Ｏ１〜Ｏ４に事故電流が流れたり、１つ以上の電源供給源１０又は負荷２０に異常が発生して電源端Ｏ１〜Ｏ４に事故電流が流れた場合は、複数の遮断器１３０を開路して前記事故電流が他の電源盤１００、２００、３００又は４００に供給されることを防止するように、制御装置６００に要求してもよい。
【０２５０】
制御部１４０、２４０、３４０、４４０は、１つ以上の電源供給源１０に異常が発生すると、複数の遮断器１３０を閉路し、電源端Ｏ１〜Ｏ４に接続された他の電源盤１００、２００、３００又は４００から前記ＤＣ電源が供給されるように、制御装置６００に制御を要求してもよい。
【０２５１】
制御部１４０、２４０、３４０、４４０は、電源端Ｏ１〜Ｏ４に接続された他の電源盤１００、２００、３００又は４００に異常が発生すると、複数の遮断器１３０を閉路し、他の電源盤１００、２００、３００又は４００に前記ＤＣ電源が供給されるように、制御装置６００に制御を要求してもよい。
【０２５２】
制御部１４０、２４０、３４０、４４０は、電源端Ｏ１〜Ｏ４に接続された他の電源盤１００、２００、３００又は４００に異常が発生すると、１つ以上の電源供給源１０のいずれかからさらに電源が供給されるように制御し、複数の遮断器１３０を閉路し、電源端Ｏ１〜Ｏ４を介して、さらに電源を供給するように制御される供給源１０及びそれに対応する変換装置１１０、２１０、３１０、４１０で変換された前記ＤＣ電源が他の電源盤１００、２００、３００又は４００に供給されるように、制御装置６００に制御を要求してもよい。
【０２５３】
制御装置６００は、複数の遮断器１３０の動作を制御することにより、前記ＤＣ電源の受給及び供給を制御するようにしてもよい。
【０２５４】
例えば、複数の遮断器１３０を閉路することにより、複数の電源盤１００、２００、３００、４００間で前記ＤＣ電源を受給又は供給するように制御してもよい。
【０２５５】
制御装置６００は、複数の電源盤１００、２００、３００、４００のそれぞれと通信を行い、複数の電源盤１００、２００、３００、４００のそれぞれから受信した状態情報に基づいて、複数の電源盤１００、２００、３００、４００のそれぞれを制御してもよい。
【０２５６】
例えば、複数の電源盤１００、２００、３００、４００のそれぞれから受信した前記ＤＣ電源及び前記駆動電源の状態情報に基づいて、複数の電源盤１００、２００、３００、４００のそれぞれの前記ＤＣ電源の変換及び供給と、複数の電源盤１００、２００、３００、４００のそれぞれの前記駆動電源の変換及び供給を制御してもよい。
【０２５７】
制御装置６００は、複数の電源盤１００、２００、３００、４００のそれぞれと通信を行い、複数の電源盤１００、２００、３００、４００のそれぞれから受信した状態情報に基づいて、複数の電源盤１００、２００、３００、４００のそれぞれの前記駆動電源の変換及び供給を制御するか、又は複数の遮断器１３０を制御してもよい。
【０２５８】
また、制御装置６００は、１つ以上の電源供給源１０及び負荷２０の状態を検知するか、又は外部の通信手段から１つ以上の電源供給源１０及び負荷２０の状態に関する情報を受信し、１つ以上の電源供給源１０及び負荷２０の状態に基づいて、複数の電源盤１００、２００、３００、４００のそれぞれの前記駆動電源の変換及び供給を制御するか、又は複数の遮断器１３０を制御してもよい。
【０２５９】
この場合、制御装置６００が複数の電源盤１００、２００、３００、４００のそれぞれの前記駆動電源の変換及び供給の制御、又は複数の遮断器１３０の制御に関する制御命令を、複数の電源盤１００、２００、３００、４００のそれぞれ、又は複数の遮断器１３０のそれぞれに送り、複数の電源盤１００、２００、３００、４００のそれぞれに含まれる制御部１４０、２４０、３４０、４４０により前記制御命令に基づいた制御、又は複数の遮断器１３０のそれぞれの開閉制御が行われる。
【０２６０】
例えば、複数の電源盤１００、２００、３００、４００に電源を供給している系統電源Ｇ全体に異常が発生すると、系統電源Ｇからの電源供給を遮断して他の供給源に切り替えるように、複数の遮断器１３０を開路し、系統電源Ｇを除く電源から電源供給を受けて前記ＤＣ電源に変換して供給するように制御する制御命令を複数の電源盤１００、２００、３００、４００のそれぞれに含まれる制御部１４０、２４０、３４０、４４０に送り、複数の遮断器１３０のそれぞれを開路し、バイパス電源Ｐ又はバッテリ電源Ｂから電源供給を受けて前記ＤＣ電源に変換して供給するように制御してもよい。
【０２６１】
制御装置６００は、複数の遮断器１３０の開閉を制御することにより、複数の電源盤１００、２００、３００、４００に前記ＤＣ電源が送られるように制御してもよい。
【０２６２】
制御装置６００は、複数の電源盤１００、２００、３００、４００のいずれか１つ以上に異常が発生すると、前記異常が発生した電源盤が接続された電路のいずれか１つの電路の遮断器を閉路し、前記他の電源盤から前記異常が発生した電源盤に前記ＤＣ電源が供給されるように制御してもよい。
【０２６３】
すなわち、制御装置６００は、複数の電源盤１００、２００、３００、４００のいずれか１つ以上に異常が発生すると、前記異常が発生した電源盤に接続された遮断器１３０のいずれかを閉路し、前記他の電源盤から前記異常が発生した電源盤に前記ＤＣ電源が供給されるように制御してもよい。
【０２６４】
例えば、複数の電源盤１００、２００、３００、４００のうち第１電源盤１００の変換装置１１０に故障が発生すると、第２電源盤２００、第３電源盤３００又は第４電源盤４００のいずれかの変換装置２１０、３１０又は４１０で変換されたＤＣ電源を第１電源盤１００の第２電力変換装置１２０に供給するように、第１電源盤１００と第３電源盤３００が接続される電路の第１遮断器１３０ａ、第１電源盤１００と第２電源盤２００が接続される電路の第２遮断器１３０ｂ、又は第１電源盤１００と第４電源盤４００が接続される電路の第３遮断器１３０ｃを閉路し、第１電源盤１００の１つ以上の第１電力変換装置１１０を遮断し、第２電源盤２００、第３電源盤３００又は第４電源盤４００の１つ以上の第１電力変換装置２１０、３１０又は４１０のいずれかで変換された前記ＤＣ電源を第１電源盤１００の第２電力変換装置１２０に供給するように制御する制御命令を、第１電源盤１００と第２電源盤２００、第３電源盤３００又は第４電源盤４００、第１遮断器１３０ａ、第２遮断器１３０ｂ又は第３遮断器１３０ｃのそれぞれに送り、第１遮断器１３０ａ、第２遮断器１３０ｂ又は第３遮断器１３０ｃを閉路し、第２電源盤２００、第３電源盤３００又は第４電源盤４００の１つ以上の第１電力変換装置２１０、３１０又は４１０のいずれかが前記ＤＣ電源を第１電源盤１００の第２電力変換装置１２０に供給するように制御してもよい。
【０２６５】
すなわち、複数の電源盤１００、２００、３００、４００のそれぞれは、他の電源盤に異常が発生すると、前記異常が発生した電源盤の負荷２０に前記ＤＣ電源を供給するようにしてもよい。
【０２６６】
ここで、複数の電源盤１００、２００、３００、４００は、前記異常が発生した電源盤に前記ＤＣ電源を供給する場合、１つ以上の電源供給源１０の状態によって前記ＤＣ電源への変換を行う１つ以上の第１電力変換装置１１０、２１０、３１０、４１０のいずれかを選択し、選択したコンバータにより前記異常が発生した電源盤に前記ＤＣ電源を送るようにしてもよい。
【０２６７】
すなわち、複数の電源盤１００、２００、３００、４００は、前記異常が発生した電源盤に前記ＤＣ電源を供給する場合、１つ以上の電源供給源１０の状態によって選択した１つのコンバータにより前記異常が発生した電源盤に前記ＤＣ電源を供給するようにしてもよい。
【０２６８】
例えば、第２電源盤２００が第１電源盤１００に前記ＤＣ電源を供給する際に、第２電源盤２００に電源を供給している１つ以上の電源供給源１０のうち系統電源Ｇ及びバイパス電源Ｐの定格が基準定格より低い場合、バッテリ電源Ｂにより前記ＤＣ電源を供給するようにバッテリ電源Ｂに対応する第２変換装置２１０＃２を選択し、選択した第２変換装置２１０＃２によりバッテリ電源Ｂから供給された電源を前記ＤＣ電源に変換して第１電源盤１００に送るようにしてもよい。
【０２６９】
制御装置６００は、複数の電源盤１００、２００、３００、４００のいずれか１つ以上に異常が発生すると、前記異常が発生した電源盤が接続された電路の遮断器１３０のうち２つ以上を閉路し、２つ以上の他の電源盤から前記異常が発生した電源盤に前記ＤＣ電源が供給されるように制御してもよい。
【０２７０】
すなわち、制御装置６００は、複数の電源盤１００、２００、３００、４００のいずれか１つ以上に異常が発生すると、前記異常が発生した電源盤に接続された遮断器１３０のうち２つ以上を閉路し、２つ以上の他の電源盤から前記異常が発生した電源盤に前記ＤＣ電源が供給されるように制御してもよい。
【０２７１】
例えば、第１電源盤１００に異常が発生した場合は、第１電源盤１００に隣接する第２電源盤２００との接続を断続する第２遮断器１３０ｂ及び第３電源盤３００との接続を断続する第１遮断器１３０ａを閉路し、第２電源盤２００及び第３電源盤３００から第１電源盤１００に前記ＤＣ電源が供給されるようにしてもよい。
【０２７２】
制御装置６００は、前記異常が発生した電源盤が複数の場合、前記異常が発生した電源盤のそれぞれに最も隣接する電源盤の接続を断続する複数の遮断器１３０を閉路し、前記隣接する電源盤のそれぞれから前記異常が発生した電源盤のそれぞれに前記ＤＣ電源が供給されるように制御してもよい。
【０２７３】
すなわち、制御装置６００は、前記異常が発生した電源盤が複数の場合、前記異常が発生した電源盤のそれぞれに隣接する複数の電源盤のそれぞれから前記異常が発生した電源盤のそれぞれに前記ＤＣ電源が供給されるように制御してもよい。
【０２７４】
例えば、第１電源盤１００及び第２電源盤２００に故障が発生した場合、第１電源盤１００と第３電源盤３００の接続を断続する第１遮断器１３０ａ及び第２電源盤２００と第４電源盤４００の接続を断続する第４遮断器１３０ｄを閉路し、第１電源盤１００には第３電源盤３００から前記ＤＣ電源が供給され、第２電源盤２００には第４電源盤４００から前記ＤＣ電源が供給されるようにしてもよい。
【０２７５】
このように、複数の電源盤１００、２００、３００、４００のいずれか１つ以上に異常が発生すると、前記異常が発生した電源盤に接続された他の電源盤の接続を断続する遮断器１３０を閉路し、前記他の電源盤から前記異常が発生した電源盤に前記ＤＣ電源が供給されるように制御することにより、複数の電源盤１００、２００、３００、４００のそれぞれがＵＰＳ機能を実行することができる。
【０２７６】
よって、電源供給システム１０００においては、１つ以上の電源供給源１０、複数の電源盤１００、２００、３００、４００及び負荷２０に予期せぬ異常が発生した場合も、負荷２０への前記駆動電源の供給を維持し続けることができ、複数の負荷２０の運転を中断することなく維持することができ、異常発生に対処して適切かつ能動的に電源供給を行うことができ、異常発生の種類及び程度に関係なく複数の負荷２０の運転及び電源供給システム１０００の制御を安定して行うことができる。
【０２７７】
以上説明したような電源供給システム１０００の運転は、図４〜図７に示すように行われるようにしてもよい。
【０２７８】
図４〜図７に示す運転例は、電源供給システム１０００が４つの電源盤１００、２００、３００、４００を含む場合の運転例であり、電源供給システム１０００は、複数の電源盤１００、２００、３００、４００を４つ未満又は４つ以上含んでもよい。
【０２７９】
好ましい実施形態として、電源供給システム１０００は、図４〜図７に示すように、４つの電源盤１００、２００、３００、４００を含んでもよい。以下、図４〜図７に示すように複数の電源盤１００、２００、３００、４００が４つである場合を例に挙げて説明する。
【０２８０】
図４は複数の電源盤１００、２００、３００、４００のそれぞれが１つ以上の電源供給源１０のうち系統電源Ｇから電源供給を受ける場合であり、この場合、バイパス電源Ｐ及びバッテリ電源Ｂからの電源供給は遮断され、系統電源Ｇから電源供給を受けて前記ＤＣ電源、前記駆動電源の順に変換して複数の負荷２０のそれぞれに供給する。
【０２８１】
図４に示す運転例は、系統電源Ｇから電源供給を受けて運転する一般的な運転の場合であり、電源供給システム１０００の平時運転はこのように行われる。
【０２８２】
図５は複数の電源盤１００、２００、３００、４００のそれぞれが１つ以上の電源供給源１０のうちバイパス電源Ｐから電源供給を受ける場合であり、系統電源Ｇに異常が発生した場合がこれに該当し、この場合、系統電源Ｇ及びバッテリ電源Ｂからの電源供給は遮断され、バイパス電源Ｐから電源供給を受けて前記ＤＣ電源、前記駆動電源の順に変換して複数の負荷２０のそれぞれに供給する。
【０２８３】
図５に示す運転例は、バイパス電源Ｐから電源供給を受けて運転する特殊運転の場合であり、電源供給システム１０００の特殊運転はこのように行われる。
【０２８４】
図６は複数の電源盤１００、２００、３００、４００のそれぞれが１つ以上の電源供給源１０のうちバッテリ電源Ｂから電源供給を受ける場合であり、系統電源Ｇ及びバイパス電源Ｐに異常が発生した場合がこれに該当し、この場合、系統電源Ｇ及びバイパス電源Ｐからの電源供給は遮断され、バッテリ電源Ｂから電源供給を受けて前記ＤＣ電源、前記駆動電源の順に変換して複数の負荷２０のそれぞれに供給する。
【０２８５】
図６に示す運転例は、バッテリ電源Ｂから電源供給を受けて運転する停電運転の場合であり、電源供給システム１０００の停電運転はこのように行われる。
【０２８６】
図７は複数の電源盤１００、２００、３００、４００のそれぞれが１つ以上の電源供給源１０のうち非常用電源Ａから電源供給を受ける場合であり、系統電源Ｇ、バイパス電源Ｐ及びバッテリ電源Ｂに異常が発生した場合がこれに該当し、この場合、系統電源Ｇ、バイパス電源Ｐ及びバッテリ電源Ｂからの電源供給は遮断され、非常用電源Ａが複数の負荷２０のそれぞれに前記駆動電源を直接供給する。
【０２８７】
図７に示す運転例は、非常用電源Ａから電源供給を受けて運転する非常運転の場合であり、電源供給システム１０００の非常運転はこのように行われる。
【０２８８】
このように、電源供給システム１０００は、複数の電源盤１００、２００、３００、４００のそれぞれが同じ電源供給源から電源供給を受けて運転するようにしてもよく、複数の電源盤１００、２００、３００、４００のそれぞれが１つ以上の電源供給源１０のいずれかから選択的に電源供給を受けて運転するようにしてもよい。
【０２８９】
例えば、第１及び第２電源盤１００、２００は系統電源Ｇから電源供給を受けて運転し、第３及び第４電源盤３００、４００はバイパス電源Ｐから電源供給を受けて運転するようにしてもよい。
【０２９０】
また、複数の電源盤１００、２００、３００、４００のそれぞれは、１つ以上の電源供給源１０から電源供給を受けて運転するようにしてもよい。
【０２９１】
例えば、第１電源盤１００に異常が発生して第２電源盤２００から第１電源盤１００に前記ＤＣ電源を供給する場合、第２電源盤２００が、系統電源Ｇから供給された電源を第２−１変換装置２１０＃１により前記ＤＣ電源に変換して第２電力変換装置２２０のそれぞれに送り、さらにバイパス電源Ｐから供給された電源を第２−３変換装置２１０＃３により前記ＤＣ電源に変換し、第２−３変換装置２１０＃３で変換された前記ＤＣ電源を第１電源盤１００の第２電力変換装置１２０のそれぞれに送るようにしてもよい。
【０２９２】
この例においては、第１電源盤１００と第２電源盤２００が接続される電路の第２遮断器１３０ｂを閉路することにより、第１電源盤１００と第２電源盤２００とが接続され、第２電源盤２００から第１電源盤１００への前記ＤＣ電源の供給が行われる。
【０２９３】
このように、複数の電源盤１００、２００、３００、４００のそれぞれが１つ以上の電源供給源１０から電源供給を受けて運転することにより、複数の電源盤１００、２００、３００、４００間の電源供給、すなわち複数の電源盤１００、２００、３００、４００間のＵＰＳ機能の実行及び供給盤５００のＵＰＳ機能の実行を行うことができる。
【０２９４】
前述したような本発明の実施形態による電源供給システムは、ＤＣ電源を供給／使用する電源供給装置、電源供給システム、電源供給システムの運用方法に適用することができる。特に、ＤＣ ＵＰＳモジュール及びそれを備える電源供給システムに有効に適用することができ、複数のモータ負荷を制御するモータ制御盤、モータ制御システム、モータ運転システムなどにも適用して実施することができる。
【０２９５】
以上、本発明の具体的な実施形態について説明したが、本発明の範囲から外れない限り、様々な変形が可能であることは言うまでもない。よって、本発明の範囲は、上記実施形態に限定して定められるものではなく、請求の範囲及びその均等物などにより定められるべきである。
【０２９６】
以上、本発明を限定された実施形態と図面により説明したが、本発明は、上記実施形態に限定されるものではなく、本発明の属する技術の分野における通常の知識を有する者であれば、その記載から様々な変更及び変形が可能である。よって、本発明の思想は、請求の範囲によってのみ把握されるべきであり、その均等又は等価的変形の全てが本発明の思想の範疇に属するといえる。
【符号の説明】
【０２９７】
１０  電源供給源
２０  負荷
１００（２００、３００、４００）  電源供給装置（電源盤）
１１０（２１０、３１０、４１０）  第１電力変換装置（コンバータ）
１２０（２２０、３２０、４２０）  第２電力変換装置（インバータ）
１３０ａ〜１３０ｆ  第１〜第６遮断器
１４０（２４０、３４０、４４０）  制御部
６００  制御装置
１０００  電源供給システム
【図１】
2021536220.tif 000003
【図２】
2021536220.tif 000004
【図３】
2021536220.tif 000005
【図４】
2021536220.tif 000006
【図５】
2021536220.tif 000007
【図６】
2021536220.tif 000008
【図７】
2021536220.tif 000009
【国際調査報告】
2021536220.tif 000010
2021536220.tif 000011
2021536220.tif 000012
2021536220.tif 000013